(57)【要約】【課題】体毛処理装置の使用時の冷感やべた付き感が少なく、かつ肌滑り性を向上させるとともに、体毛処理効率を高めることができる剤供給装置を提供する。【解決手段】本発明の剤供給装置１は、体毛処理装置２を着脱自在に支持する支持部１１と、この支持部１１で支持された体毛処理装置２のヘッド部３に除毛の際に用いられる処理剤を供給する剤供給部１２とを備え、ヘッド部３に供給する処理剤は、エタノール、イソプロピルアルコールなどの常温で蒸気圧を有する液体と、粒径が０．５〜５０μｍ程度の多孔質体からなる粉体とを主成分として構成されている。【選択図】図１
2007252675.tif 000002
【特許請求の範囲】
【請求項１】
体毛処理装置を着脱自在に支持する支持部と、この支持部で支持された体毛処理装置のヘッド部に除毛の際に用いられる処理剤を供給する剤供給部とを備え、前記ヘッド部に供給する処理剤が液体と粉体とを主成分として構成されていることを特徴とする剤供給装置。
【請求項２】
ヘッド部に供給する処理剤の液体成分は、エタノール、イソプロピルアルコールなどの常温で蒸気圧を有するものであることを特徴とする請求項１記載の剤供給装置。
【請求項３】
ヘッド部に供給する処理剤に、抗菌剤成分が含まれていることを特徴とする請求項１または請求項２に記載の剤供給装置。
【請求項４】
ヘッド部に供給する処理剤に保湿成分が含まれていることを特徴とする請求項１ないし請求項３のいずれか一項に記載の剤供給装置。
【請求項５】
ヘッド部に供給する処理剤の保湿成分が、液体成分に溶解し、かつ乾燥後には粉体又は結晶状になることを特徴とする請求項４記載の剤供給装置。
【請求項６】
ヘッド部に供給する処理剤に含まれる粉体が、多孔質体であることを特徴とする請求項１ないし５のいずれか一項に記載の剤供給装置。
【請求項７】
ヘッド部に供給する処理剤に含まれる粉体は、その粒径が０．５〜５０μｍであることを特徴とする請求項１ないし６のいずれか一項に記載の剤供給装置。
【発明の詳細な説明】
【技術分野】
【０００１】
本発明は、除毛処理として体毛を剃ったり引き抜いたりする体毛処理装置に処理剤を供給する剤供給装置に関する。
【背景技術】
【０００２】
従来電気かみそりや脱毛装置などの体毛処理装置の除毛処理を行うヘッド部に、シェービングローションなどの処理剤を供給する剤供給装置が提案されている（例えば、特許文献１参照）。これにより、除毛処理に於いてヘッド部から肌面に処理剤が塗布されて肌面の滑り性が向上する。また、体毛処理装置の中には除毛処理中に肌面に処理剤を供給する剤供給部を備えるものもある。
【特許文献１】特開２００３−２１０８７４号公報
【発明の開示】
【発明が解決しようとする課題】
【０００３】
しかし、上記の特許文献１に記載されているような従来の剤供給装置では、処理剤が全て揮発成分ないし液状成分であり、この液状処理剤を肌に吐出させつつ体毛の処理を行うため、処理剤である液が肌に接触する際に冷感やべた付き感などの不快感が生じる。また、処理剤が低級アルコールと水とを主成分とし、処理剤の成分は全て揮発成分ないし液状成分で構成されていることから、処理すべき体毛が処理前に液状の処理剤を介して皮膚に密着していまい、体毛の処理効率が低下するといった課題や、処理した体毛の一部が液状の処理剤を介して再び皮膚に付着してしまうといった課題を有している。
【０００４】
本発明は、上記の課題を解決するためになされたもので、体毛処理装置の使用時の冷感やべた付き感が少なく、かつ肌滑り性を向上させるとともに、体毛処理効率を高めることができる剤供給装置を提供することを目的とする。
【課題を解決するための手段】
【０００５】
上記の目的を達成するために、本発明にかかる請求項１記載の剤供給装置は、体毛処理装置を着脱自在に支持する支持部と、この支持部で支持された体毛処理装置のヘッド部に除毛の際に用いられる処理剤を供給する剤供給部とを備え、前記ヘッド部に供給する処理剤が液体と粉体とを主成分として構成されていることを特徴とするものである。
【０００６】
また、請求項２記載の剤供給装置は、ヘッド部に供給する処理剤の液体成分は、エタノール、イソプロピルアルコールなどの常温で蒸気圧を有するものであることを特徴とするものである。
【０００７】
また、請求項３記載の剤供給装置は、ヘッド部に供給する処理剤に、抗菌剤成分が含まれていることを特徴とするものである。
【０００８】
また、請求項４記載の剤供給装置は、ヘッド部に供給する処理剤に保湿成分が含まれていることを特徴とするものである。
【０００９】
また、請求項５記載の剤供給装置は、ヘッド部に供給する処理剤の保湿成分が、液体成分に溶解し、かつ乾燥後には粉体又は結晶状になることを特徴とするものである。
【００１０】
また、請求項６記載の剤供給装置は、ヘッド部に供給する処理剤に含まれる粉体が、多孔質体であることを特徴とするものである。
【００１１】
また、請求項７記載の剤供給装置は、ヘッド部に供給する処理剤に含まれる粉体は、その粒径が０．５〜５０μｍであることを特徴とするものである。
【発明の効果】
【００１２】
請求項１記載の発明によれば、処理剤が液体と粉体を主成分として構成されているので、除毛を行うヘッドに塗布された処理剤の液状成分を乾燥させると、ヘッドには粉体を含む固形成分が単独、あるいは主成分として残るため、体毛処理装置の肌滑り性を向上させながら、体毛処理装置のヘッドを肌に当てたときの冷感やべた付き感を低減することできる。
【００１３】
また、請求項２記載の発明によれば、ヘッド部に供給する処理剤の液体成分は、エタノール、イソプロピルアルコールなどの常温で蒸気圧を有するものであるので、常温で容易に揮発するため、比較的短時間で冷感やべた付き感が生じなくなるとともに、体毛処理装置で体毛を処理する際に、従来、課題であった液状の処理剤を介して体毛と肌が密着することによる体毛処理効率の低下を抑制することができ、さらに処理した体毛の一部が処理剤を介して再び皮膚に付着することを防止することができる。さらにまた、このような処理剤は万が一、肌に接触しても安全性が高く、安価である上、抗菌性を有しているため、抗菌成分としても兼ねることが可能である。
【００１４】
また、請求項３記載の発明によれば、ヘッド部に供給する処理剤に抗菌剤成分が含まれているので、噴霧経路を通じての細菌汚染を防ぐことができ、噴霧する処理剤を衛生的に維持することができると共に、生物膜形成による流路の閉塞を防ぐことができる。
【００１５】
また、請求項４記載の発明によれば、処理剤に保湿成分が含まれることにより、体毛処理後に肌のしっとり感を与え、肌荒れを防止し、体毛処理時の刺激を抑制することができる。
【００１６】
また、請求項５記載の発明によれば、処理剤に含まれる保湿剤が液体成分に溶解し、かつ乾燥後に粉体又は結晶状になるので、体毛処理時に肌のべた付き感などの不快感をさらに抑制することができ、処理後に徐々に肌のしっとり感を与えることができる。
【００１７】
また、請求項６記載の発明によれば、ヘッド部に供給する処理剤に含まれる粉体が、多孔質体であるので、体毛処理後に肌に残存した粉体が、汗等の水分を吸湿して、保湿効果を向上させることができる。
【００１８】
また、請求項７記載の体毛処理装置に於ける剤供給装置は、ヘッド部に供給する処理剤に含まれる粉体は、その粒径が０．５〜５０μｍであるので、肌上に付着した粉体の肌滑り性が高く、また体毛処理後に粉体が肌上に残存しても違和感がなく、また、手で触れた際に於ける肌のなめらかさを高くすることができる。
【発明を実施するための最良の形態】
【００１９】
以下、本発明の実施の形態について、図面を参照して詳しく説明する。図１は本発明の実施の形態における剤供給装置を体毛処理装置と共に示す断面図、図２は体毛処理装置を示す正面図、図３は体毛処理装置をグリップ側から見た底面図、図４は剤供給装置の支持部を示し、同図（ａ）は正面図、同図（ｂ）は側面図である。図１に示すように、剤供給装置１は体毛処理装置２を支持し、体毛処理装置２のヘッド部３に対して処理剤に供給を行うものである。
【００２０】
まず、体毛処理装置２について説明する。体毛処理装置２は体毛の除去と切断によって行うヘッド部３と、使用者が把持可能なグリップ部４とから構成された電気カミソリである。ヘッド部３は、ケース５とこのケース５に設けられた刃部６とから構成されている。刃部６は、固定刃である外刃６ａとこの外刃６ａの内側に配設された稼動刃である図示しない内刃とを有しており、内刃が往復動することにより、外刃６ａと内刃とによって体毛を切断する構成となっている。グリップ部４には、図示しない制御部や充電池が内蔵されている。ここで、体毛処理装置２は、電気カミソリに限らず、例えば、体毛を脱毛する脱毛装置であっても良い。
【００２１】
次に、剤供給装置１の各部について詳しく説明する。図１に示すように、剤供給装置１は、体毛処理装置２を脱着自在に支持する支持部１１と、この支持部１１に支持された体毛処理装置２のヘッド部３に処理剤を供給する剤供給部１２と、処理剤が供給されたヘッド部３を乾燥させる乾燥部１３とを備えている。これらの支持部１１、剤供給部１２、乾燥部１３は筐体１４に一体的に設けられている。
【００２２】
剤供給部１２は、処理剤を貯蔵する剤容器１５と、この剤容器１５にパイプ１６を介して吸入側が連通されたポンプ１７と、このポンプ１７の吐出側にパイプ１８を介して連通された剤吐出口１９とが順次下から上に配設されて構成されている。ここに、処理剤は、体毛処理装置２による除毛の際に用いられるものであり、例えば肌面の滑り性を向上させるものである。
【００２３】
剤容器１５は、その上壁に貫通孔１５ａが形成されており、この貫通孔１５ａがパイプ１６に接続されている。この剤容器１５は、筐体に対して着脱自在に設けられている。剤吐出口１９は、後方斜め上方に向けて処理剤を吐出するものであり、支持部１１に保持された体毛処理装置２のヘッド部３に対向する位置に設けられている。ポンプ１７は、例えば、歯車ポンプやダイヤフラムポンプなどを例示することができる。
【００２４】
したがって、この剤供給部１２は、ポンプ１７が動作することにより、剤容器１５に貯蔵されている処理剤が剤吐出口１９からヘッド部３に向けて吐出され、これにより、ヘッド部３に処理剤が供給される。
【００２５】
乾燥部１３は、剤供給部１２の上方に配置されている。この乾燥部１３は、ファンケース２３と、このファンケース２３に内蔵されたファン２４と、ファンケース２３に内蔵されてファン２４を回転駆動するファンモータ（図示せず）と、ファンケース２３に内蔵された熱線（図示せず）とから構成されている。
【００２６】
ファンケース２３には空気を吸い込む吸込口（図示せず）と、空気を送風する送風口２３ａとが設けられている。送風口２３ａは、後方斜め下方に向けて開口しており、支持部１１に保持された体毛処理装置２のヘッド部３に対向する位置に設けられている。
【００２７】
この乾燥部１３では、通電された熱線が発熱した状態で、ファンモータによってファン２４が回転駆動されることにより、吸込口から吸い込んだ空気を熱線によって暖められて送風口２３ａからヘッド部３に送風する。
【００２８】
支持部１１は、ヘッド部３が体毛処理装置２の下端部となるように体毛処理装置２を支持するものであり、図４に示すように、体毛処理装置２の背面と底面とに沿った形状に形成されてそれらの背面と底面とを支持する支持面１１ａが設けられている。そして、この支持面１１ａには、体毛処理装置２の背面に形成された左右２つの嵌合凹部４ａ（図２参照）、および底面に形成された１つの嵌合凹部４ａ（図３参照）に取り外し可能に嵌合する嵌合凸部１１ｂがそれぞれ突設されている。
【００２９】
したがって、体毛処理装置２の各嵌合凹部４ａを嵌合凸部１１ｂに嵌合して支持部１１に支持した状態では、体毛処理装置２のヘッド部３の外面が下向きとなるとともに、ヘッド部３が乾燥部１３の剤吐出口１９及び乾燥部１３の送風口２３ａに対向する。
【００３０】
また、体毛処理装置２の底面に設けられた嵌合凹部４ａと、この嵌合凹部４ａに対応する支持部１１の嵌合凸部１１ｂには、それぞれ接続端子（図示せず）が設けられている。そして、支持部１１に体毛処理装置２が固定支持されることにより、それら接続端子同士が電気的に接続されて、例えば商用電源に接続された剤供給装置１から体毛処理装置２へ電気が供給されることにより、体毛処理装置２が充電されるようになっている。
【００３１】
また、筐体１４には、支持部１１に支持された体毛処理装置２のヘッド部３の下方に位置する受け部１４ａが設けられている。この受け部１４ａは、支持部１１に支持された体毛処理装置２のヘッド部３から落下する余分な処理剤を受け取るものである。
【００３２】
次に、剤供給装置１が行う処理を説明する。メインスイッチ５４がＯＮ操作された場合、体毛処理装置２のヘッド部３に処理剤を供給する。具体的には、ポンプ１７を駆動して、剤容器１５に貯蔵されている処理剤を剤吐出口１９からヘッド部３に向けて吐出して、ヘッド部３に供給する。これにより、処理剤がヘッド部３に確実に付着する。
【００３３】
続いて、乾燥部１３のファンモータを駆動して送風口２３ａからヘッド部３に温風を吹き付けることにより、ヘッド部３の付着している液体を蒸発させてヘッド部３を乾燥させる。これにより、処理剤の乾燥物がヘッド部３に付着して残る。
【００３４】
また、この処理中には、剤供給装置１の接続端子から体毛処理装置２の接続端子へ電気が供給されて、体毛処理装置２が充電される。
【００３５】
剤供給装置１において使用される処理剤としては、常温で蒸気圧を有する液体と、粉体とを主成分として構成されるものである。すなわち、処理剤は、常温で蒸気圧を有する液体成分と、粉体とのみで構成される場合の外、これに対して常温で蒸気圧を有さない液体や、乾燥後に結晶化する成分などが含まれていてもよい。
【００３６】
ここで、使用される粉体としてはタルクやマイカ、無水珪酸、カオリンなどのシリカや酸化チタンに代表される多孔質体の無機系粉体が好ましいが、ポリエチレン末やナイロン末、ポリアクリル酸アルキルなどに代表される合成高分子粉体、ステアリン酸亜鉛やステアリン酸マグネシウムやステアリン酸カルシウム、ミリスチン酸亜鉛などの金属石鹸なども適用できるが、かかる例示のものに化学組成が限定されるものではない。
【００３７】
また、粉体の形状として、肌に付着した際の滑り性を考慮した場合には真球状や楕円球状が好ましく、その大きさに関しては、肌に付着した後に於ける滑り性や異物感などを考慮すると、粒径が０．５〜５０μｍが好ましい。粉体の粒径が０．５μｍを下回る場合には、電気カミソリを肌に当てた場合に於ける滑り感が悪く、また５０μｍを上回る場合には肌に異物感を感じてしまう。但し、粉体の形状や化学組成が多成分で構成されている場合については、上記の条件に該当する粉体の比率が主体であるならば、該当しない粉体成分が含まれていても構わない。
【００３８】
また、常温で蒸気圧を有する液体成分として、自然乾燥や乾燥手段による強制乾燥を想定した場合に、水やエタノールやイソプロピルアルコールなどの低級アルコールが好ましい。但し、常温で蒸気圧を有する液体成分として、単一組成である必要はなく、水と低級アルコールとの混合物であってもよい。
【００３９】
抗菌剤成分としては、粉体状・結晶状の固体抗菌剤や液体状抗菌剤があるが、前者の固体抗菌剤としては、イソプロピルメチルフェノールやレゾルシン、パラヒドロキシ安息香酸エステル類、塩化セチルピリジニウム、デヒドロ酢酸、塩化ベンザルコニウムなどを挙げることができるが、本発明はこれらに制約されるものではない。また、後者の液体状抗菌剤としては、エタノールやイソプロピルアルコール、ブチレングリコールなどを挙げることができるが、本発明はこれらの成分に制約されるものではない。なお、エタノールやイソプロピルアルコールは常温で容易に揮発することから、処理剤における常温で蒸気圧を有する液状成分としての機能を兼用させることができる。
【００４０】
最後に保湿剤成分については、ポリエチレングリコールやジエチレングリコールヒアルロン酸ナトリウムやコラーゲン、セラミド、乳酸ナトリウム、尿素、アミノ酸などを挙げることができるが、本発明はこれらに制約されるものではない。但し、体毛処理装置１のヘッド部３に処理剤を吹き付けて乾燥後に体毛処理を行う場合に、べた付き感などの不快感が生じ難くするためにも、コラーゲンやヒアルロン酸ナトリウムや尿素などの固形状保湿剤であることが好ましい。
以下に本実施形態に於ける処理剤の具体的な成分例を挙げる。
【００４１】
（例１）
成分                                                （質量％）
・シリカ粉体                                          ３０％
・エタノール                                          ４０％
・水                                                  ２０％
・カルボキシメチルセルロース                            ５％
・尿素                                                  ５％
（例２）
成分                                                （質量％）
・シリカ粉体                                          ４０％
・水                                                  ４０％
・アルギン酸ナトリウム                                １０％
・塩化セチルピリジニウム                                ２％
・ヒアルロン酸ナトリウム                                ８％
上記に示す処理剤はあくまで一例であって、本発明は、この例１，２に示す成分組成に何ら制約を受けるものではない。
【００４２】
なお、この剤供給装置１は、剤容器１５に洗浄液を貯留しておけば、体毛処理装置２のヘッド部３の洗浄用として兼用することも可能である。
【図面の簡単な説明】
【００４３】
【図１】本発明の実施の形態にかかる剤供給装置を体毛処理装置と共に示す断面図である。
【図２】体毛処理装置を示す正面図である。
【図３】体毛処理装置をグリップ側から見た底面図である。
【図４】体毛処理装置の支持部を示し、同図（ａ）は正面図、同図（ｂ）は側面図である。
【符号の説明】
【００４４】
１    剤供給装置
２    体毛処理装置
１１    支持部
１２    剤供給部
【図１】
2007252675.tif 000003
【図２】
2007252675.tif 000004
【図３】
2007252675.tif 000005
【図４】
2007252675.tif 000006